(57)【要約】      （修正有）【課題】片手でも、また、手指の簡単な動きで、ＰＴＰ包装されたカプセル剤ならびに錠剤を自動的かつ確実に取り出すことができ、散剤袋を自動的に開封することができる薬剤オープナーを提供する。【解決手段】平面形状がＰＴＰ包装されたカプセル剤ｃならびに錠剤と同じ形の突部２、３を有する基板１を備える。基板１の上方に、基板１の基部１ａを中心として回動させ得る押圧板５と挟み板６とを上下に重なり合うごとく配置する。押圧板５と挟み板６には、各突部２、３を嵌入させ得る型孔５ａ、５ｂ、６ｂをそれぞれ形成する。基板１と挟み板６との間にばねを配置する。基板１に連なる基板８の上方に、基板８の基部８ａを中心として回動させ得る押え板１０を配置し、この押え板１０には散剤袋を開封させ得るスライド可能なカッター１１を備える。【選択図】図５
0003159216.tif 000002
【実用新案登録請求の範囲】
【請求項１】
平面形状がＰＴＰ包装された錠剤ならびにカプセル剤と同じ形の突部をそれぞれ有する基板を備え、この基板の上方において前記基板の基部を中心として回動させ得る押圧板と挟み板とを上下に重なり合うごとく配置し、前記押圧板と挟み板には前記錠剤ならびにカプセル剤と同じ形の各突部を嵌入させ得る型孔をそれぞれ形成したことを特徴とする薬剤オープナー。
【請求項２】
基板と挟み板との間にばねを配置し、押圧後の押圧板と挟み板とを前記ばねの弾撥力により復元させ得るようにしたことを特徴とする請求項１記載の薬剤オープナー。
【請求項３】
ばねの弾撥力により復元された押圧板と挟み板のうち、押圧板を挟み板から離れる方向にさらに回動させ得るようにしたことを特徴とする請求項２記載の薬剤オープナー。
【請求項４】
平面形状がＰＴＰ包装された錠剤ならびにカプセル剤と同じ形の突部をそれぞれ有する基板に連なる別の基板を有し、この別の基板の上方において別の基板の基部を中心として回動させ得る押え板を配置するとともに、この押え板には散剤袋を開封させ得るスライド可能なカッターを備えたことを特徴とする請求項１記載の薬剤オープナー。
【請求項５】
基板と押え板との間にばねを配置し、押えた後の押え板を前記ばねの弾撥力により復元させ得るようにしたことを特徴とする請求項４記載の薬剤オープナー。
【請求項６】
押え板にスライド可能に取り付けてあるスライダーに、カッターをねじで着脱自在としたことを特徴とする請求項４記載の薬剤オープナー。
【考案の詳細な説明】
【技術分野】
【０００１】
本考案は、ＰＴＰ包装（Ｐｒｅｓｓ  Ｔｈｒｏｕｇｈ  Ｐａｃｋａｇｅ、もしくは、Ｐｒｅｓｓ  Ｔｈｒｏｕｇｈ  Ｐａｃｋａｇｉｎｇ）された錠剤ならびにカプセル剤を取り出すための器具に関し、さらに、この器具に散剤袋を開封するためのカッターを付設したものに関する。
【背景技術】
【０００２】
手指の動きが不自由な人にとって、ＰＴＰ包装された錠剤ならびにカプセル剤を指先で押し出して取り出すのは意外と難しい。そこで、それらを自動的に取り出すことができるようにした器具が提案されている（例えば、特許文献１〜３参照）。
【先行技術文献】
【特許文献】
【０００３】
【特許文献１】特開２００６−２３０５００号公報
【０００４】
【特許文献２】特開２００５−７０８３号公報
【０００５】
【特許文献３】実開平６−４４４号公報
【考案の概要】
【考案が解決しようとする課題】
【０００６】
しかしながら、これらの器具はいずれもＰＴＰ包装体の銀紙面を下にしてセットするものであるため、型孔の真上にＰＴＰ包装された錠剤あるいはカプセル剤の突出部分を位置させるのが難しい。また、ＰＴＰ包装体を片手に持ちながら、もう一方の手で操作しなければならないものもあり、その操作には両手を必要とする。
【０００７】
また、これらの器具には、散剤袋を自動的に開封する機能が備えられていない。したがって、錠剤あるいはカプセル剤とは異なる散剤袋をこの器具では開封することができず、不自由な手に持ったはさみで開封せざるを得なかった。
【０００８】
本考案は、片手でも、また、手指の簡単な動きで、ＰＴＰ包装された錠剤あるいはカプセル剤を自動的かつ確実に取り出すことができるようにしたものである。さらに、ＰＴＰ包装された錠剤あるいはカプセル剤を取り出す機能と、散剤袋を自動的に開封する機能とを合わせ持つようにしたものである。
【課題を解決するための手段】
【０００９】
この目的を達成するために、本考案では、平面形状がＰＴＰ包装された錠剤ならびにカプセル剤と同じ形の突部をそれぞれ有する基板を備え、この基板の上方において前記基板の基部を中心として回動させ得る押圧板と挟み板とを上下に重なり合うごとく配置し、前記押圧板と挟み板には前記錠剤ならびにカプセル剤と同じ形の各突部を嵌入させ得る型孔をそれぞれ形成したものとする。
【００１０】
押圧板と挟み板との間にＰＴＰ包装体の銀紙が上にくるようにＰＴＰ包装体を差し込むとともに、ＰＴＰ包装された錠剤あるいはカプセル剤を挟み板に形成された型孔内に位置させる。すると、平面形状がＰＴＰ包装された錠剤ならびにカプセル剤と同じ形の突部の上方に、ＰＴＰ包装された錠剤あるいはカプセル剤が位置することになるので、押圧板を挟み板とともに押圧すると、前記各突部で前記錠剤あるいはカプセル剤が銀紙を破って押し出され、ＰＴＰ包装された錠剤あるいはカプセル剤を自動的かつ確実に取り出すことができる。
【００１１】
この場合において、ＰＴＰ包装体は押圧板と挟み板との間に挟み込まれているので、前記操作を片手で行うことができるのみならず、手指で押圧板と挟み板とを押えるだけの簡単な動きでＰＴＰ包装された錠剤あるいはカプセル剤を取り出すことができる。
【００１２】
基板と挟み板との間にばねを配置し、押圧後の押圧板と挟み板とを前記ばねの弾撥力により復元させ得るようにしておくのが良い。このようにしておくと、ばねの弾撥力により押圧後の押圧板と挟み板とを直ちに復元させることができるので、次の錠剤あるいはカプセル剤の取出操作を速やかに行うことができる。
【００１３】
ばねの弾撥力により復元された押圧板と挟み板のうち、押圧板を挟み板から離れる方向にさらに回動させ得るようにしておくのが良い。このようにしておくと、回動させた押圧板と復元後の挟み板との間にＰＴＰ包装体を差込むための挿入口が形成されるので、ＰＴＰ包装体を差し込みやすい。
【００１４】
平面形状がＰＴＰ包装された錠剤ならびにカプセル剤と同じ形の突部をそれぞれ有する基板に連なる別の基板を有し、この別の基板の上方において別の基板の基部を中心として回動させ得る押え板を配置するとともに、この押え板には散剤袋を開封させ得るスライド可能なカッターを備えておくのが良い。このようにしておくと、ＰＴＰ包装された錠剤あるいはカプセル剤を取り出す機能と、散剤袋を自動的に開封する機能とを合わせ持つものとすることができる。また、押圧板で散剤袋を押えた状態でカッターをスライドさせることができるので、散剤袋が動かず散剤袋の開封に好都合である。さらに、散剤袋の開封操作を片手で行うことができるのみならず、手指で押え板を押えながらカッターをスライドさせるだけの簡単な動きで散剤袋を開封することができる。
【００１５】
基板と押え板との間にばねを配置し、押えた後の押え板を前記ばねの弾撥力により復元させ得るようにしておくのが良い。このようにしておくと、ばねの弾撥力により押えた後の押え板を直ちに復元させることができるので、次の散剤袋開封操作を速やかに行うことができる。
【００１６】
押え板にスライド可能に取り付けてあるスライダーに、カッターをねじで着脱自在としておくのが良い。このようにしておくと、カッターの交換が便利であるから、カッターが切れにくくなった場合や折損した場合に好都合である。
【考案の効果】
【００１７】
請求項１記載の考案によれば、ＰＴＰ包装された錠剤あるいはカプセル剤を自動的かつ確実に取り出すことができるという利点がある。また、錠剤あるいはカプセル剤の取出操作を片手で行うことができるのみならず、手指で押圧板と挟み板とを押えるだけの簡単な動きでＰＴＰ包装された錠剤あるいはカプセル剤を取り出すことができるという利点がある。
【００１８】
請求項２記載の考案によれば、ばねの弾撥力により押圧後の押圧板と挟み板とを直ちに復元させることができるので、次の錠剤あるいはカプセル剤の取出操作を速やかに行うことができるという利点がある。
【００１９】
請求項３記載の考案によれば、回動させた押圧板と復元後の挟み板との間にＰＴＰ包装体を差込むための挿入口が形成されるので、ＰＴＰ包装体を差し込みやすいという利点がある。
【００２０】
請求項４記載の考案によれば、ＰＴＰ包装された錠剤あるいはカプセル剤を取り出す機能と、散剤袋を自動的に開封する機能とを合わせ持つものとすることができるという利点がある。また、押圧板で散剤袋を押えた状態でカッターをスライドさせることができるので、散剤袋が動かないのみならず、散剤袋の開封に好都合であるという利点がある。さらに、散剤袋の開封操作を片手で行うことができるのみならず、手指で押え板を押えながらカッターをスライドさせるだけの簡単な動きで散剤袋を開封することができるという利点がある。
【００２１】
請求項５記載の考案によれば、ばねの弾撥力により押えた後の押え板を直ちに復元させることができるので、次の散剤袋開封操作を速やかに行うことができるという利点がある。
【００２２】
請求項６記載の考案によれば、カッターの交換が便利であるから、カッターが切れにくくなった場合や折損した場合に好都合であるという利点がある。
【図面の簡単な説明】
【００２３】
【図１】本考案による薬剤オープナーの一例を示す斜視図である。
【図２】図１に示す薬剤オープナーの側面図で、一部を切り欠いて示す。
【図３】図１に示す薬剤オープナーの基板のみを示す斜視図で、ばねの取付状態を合わせて示す。
【図４】図１に示す薬剤オープナーの１つの使用状態を示す斜視図で、押圧板と挟み板との間に、カプセル剤を包装したＰＴＰ包装体を差し込んだ状態を示す。
【図５】図４に示す状態から押圧板を挟み板とともに押圧し、カプセル剤を取り出した状態を示す斜視図である。
【図６】図１に示す薬剤オープナーのもう１つの使用状態を示す斜視図で、押圧板と挟み板との間に、錠剤を包装したＰＴＰ包装体を差し込んだ状態を示す。
【図７】図６に示す状態から押圧板を挟み板とともに押圧し、錠剤を取り出した状態を示す斜視図である。
【図８】図１に示す薬剤オープナーのさらにもう１つの使用状態を示す斜視図で、散剤袋を開封する様子を示す。
【図９】図１に示す薬剤オープナーと一部異なる別の例を示す斜視図である。
【図１０】図９に示す薬剤オープナーの基板のみを示す斜視図で、ばねの取付状態を合わせて示す。
【図１１】図９に示す薬剤オープナーの１つの使用状態を示す一部切欠の側面図で、押圧板と挟み板との間に、カプセル剤を包装したＰＴＰ包装体を差し込んだ状態と、カッターの取付状態とを示す。
【図１２】図１１に示す状態から押圧板を挟み板とともに押圧し、カプセル剤を取り出した状態を示す斜視図である。
【図１３】図９に示す薬剤オープナーのもう１つの使用状態を示す斜視図で、押圧板を挟み板とともに押圧し、ＰＴＰ包装された錠剤を取り出した状態を示す。
【図１４】図９に示す薬剤オープナーのさらにもう１つの使用状態を示す斜視図で、散剤袋を開封する様子を示す。
【考案を実施するための形態】
【００２４】
本考案の実施形態の一例について、図面に基づいて詳細に説明する。図１〜図８に、本考案による薬剤オープナーの一例を示す。また、図９〜図１４に、図１〜図８に示す薬剤オープナーと一部異なる別の例を示す。
図１〜図８に示すＡタイプの薬剤オープナーＡと、図９〜図１４に示すＢタイプの薬剤オープナーＢとの大きな違いは、後述するように、押圧板５の取り付け方、ばねの本数とその取り付け方、ならびにカッターの取り付け方であり、その他は基本的に同じである。
【００２５】
本考案による薬剤オープナーＡ及びＢは、図１、図３あるいは図９、図１０に示すように、平面形状がＰＴＰ包装されたカプセル剤ｃと同じ形の突部２と、平面形状がＰＴＰ包装された錠剤ｄと同じ形の突部３を有する基板１を備えている。
そして、Ａタイプの薬剤オープナーＡの場合には、図１、図２、図４〜図８に示すように、前記基板１の上方に、当該基板１の基部１ａに水平状に取り付けた軸４を中心として回動させ得る押圧板５と挟み板６とが上下に重なり合うごとく配置されている。
また、薬剤オープナーＡの場合の押圧板５と挟み板６には、前記カプセル剤ｃならびに錠剤ｄと同じ形の各突部２，３を嵌入させ得る型孔５ａ，５ｂ、６ａ，６ｂがそれぞれ形成されている。
【００２６】
一方、Ｂタイプの薬剤オープナーＢの場合には、前記基板１の上方に、当該基板１の基部１ａに水平状に取り付けた軸４を中心として回動させ得る挟み板６と、この挟み板６の上方であって、前記軸４の斜め上方に水平状に配置した軸４’を中心として前記挟み板６に対して回動させ得る押圧板５とが重なり合うごとく配置されている。
また、Ｂタイプの薬剤オープナーＢの場合の押圧板５と挟み板６には、Ａタイプの薬剤オープナーＡの場合と同様に、前記カプセル剤ｃならびに錠剤ｄと同じ形の各突部２，３を嵌入させ得る型孔５ａ，５ｂ、６ａ，６ｂがそれぞれ形成されている。
【００２７】
両薬剤オープナーＡ，Ｂを使ってＰＴＰ包装されたカプセル剤ｃを取り出すには、図４、図１１に示すように、押圧板５と挟み板６との間にＰＴＰ包装体Ｃの銀紙ｃ’が上にくるようにＰＴＰ包装体Ｃを差し込むとともに、ＰＴＰ包装されたカプセル剤ｃの突出している部分を挟み板６に形成されている型孔６ａ内に位置させる。すると、平面形状がＰＴＰ包装されたカプセル剤ｃと同じ形の突部２の上方に、ＰＴＰ包装されたカプセル剤ｃの突出している部分が位置することになるので、押圧板５を挟み板６とともに押圧すると、図５、図１２に示すように、前記突部２で前記カプセル剤ｃが銀紙ｃ’を破って押し出され、ＰＴＰ包装されたカプセル剤ｃを自動的かつ確実に取り出すことができる。
【００２８】
また、Ａタイプの薬剤オープナーＡを用いてＰＴＰ包装された錠剤ｄを取り出すには、図６に示すように、押圧板５と挟み板６との間にＰＴＰ包装体Ｄの銀紙ｄ’が上にくるようにＰＴＰ包装体Ｄを差し込むとともに、ＰＴＰ包装された錠剤ｄの突出している部分を挟み板６に形成されている型孔６ｂ内に位置させる。すると、平面形状がＰＴＰ包装された錠剤ｄと同じ形の突部３の上方に、ＰＴＰ包装された錠剤ｄの突出している部分が位置することになるので、押圧板５を挟み板６とともに押圧すると、図７に示すように、前記突部３で前記錠剤ｄが銀紙ｄ’を破って押し出され、ＰＴＰ包装された錠剤ｄを自動的かつ確実に取り出すことができる。
【００２９】
なお、Ｂタイプの薬剤オープナーＢを用いてＰＴＰ包装された錠剤ｄを取り出すに当っても、Ａタイプの薬剤オープナーＡを用いて行う場合と同じであるので、ここではその詳細な説明を省略し、図１３において、ＰＴＰ包装された錠剤ｄを取り出した状態のみを図示した。
【００３０】
これらの場合において、ＰＴＰ包装体Ｃ，Ｄはいずれも押圧板５と挟み板６との間に挟み込まれているので、前記操作を片手で行うことができるのみならず、手指で押圧板５と挟み板６とを押えるだけの簡単な動きでＰＴＰ包装されたカプセル剤ｃあるいは錠剤ｄを取り出すことができる。
【００３１】
ここに例示するＡタイプの薬剤オープナーＡにおいては、前記基板１と前記挟み板６との間にばね７が配置されており、このばね７の弾撥力により押圧後の押圧板５と挟み板６とを前記軸４を中心として復元させ得るようにしてある。したがって、ばね７の弾撥力により押圧後の押圧板５と挟み板６とを直ちに復元させることができ、次のカプセル剤ｃあるいは錠剤ｄの取出操作を速やかに行うことができる。
【００３２】
一方、ここに例示するＢタイプの薬剤オープナーＢにおいても、前記基板１と前記挟み板６との間にばね７が配置されており、この点はＡタイプの薬剤オープナーＡの場合と同じである。そして、このばね７の弾撥力により押圧後の挟み板６を前記軸４を中心として復元させ得るようにしてある点もＡタイプの薬剤オープナーＡの場合と同じである。
しかしながら、挟み板６の上方に位置する押圧板５については、前記軸４を中心とする挟み板６の復元に追随して前記軸４’を中心として復元させ得るようにしてある点が、Ａタイプの薬剤オープナーＡの場合と異なっているところである。
【００３３】
なお、ばね７についても、Ａタイプの薬剤オープナーＡの場合とＢタイプの薬剤オープナーＢの場合とで多少異なっている。すなわち、Ａタイプの薬剤オープナーＡの場合には、図１、図３に示すように、ばね７を左右に２本並べて配置しているのに対し、Ｂタイプの薬剤オープナーＢの場合には、１本のみで構成されている。
そして、Ａタイプの薬剤オープナーＡの場合にあっては、２本のばね７，７の先端は前記挟み板６に押し付けてあり、ばね７，７の基部は、図３に示すように、基板１の基部１ａの切欠孔１ｂ，１ｂから奥に潜り込ませ、後述するようにその内部においてねじ（図示しない）で固定してある。したがって、押圧板５と挟み板６の動きに応じてばね７が動いても、妄りに抜け落ちることはない。
一方、Ｂタイプの薬剤オープナーＢの場合にあっては、１本のばねを用いており、１本のばね７の先端は前記挟み板６に押し付けてあり、１本のばね７の基部は、図１０に示すように、基板１とこれに連なる基板８（後述する）とに跨って形成されている取付座１ｃにねじで固定してある。
【００３４】
また、ここに例示するＡタイプの薬剤オープナーＡにおいては、前記ばね７の弾撥力により前記軸４を中心として復元された押圧板５と挟み板６のうち、押圧板５を前記軸４を中心として挟み板６から離れる方向にさらに回動させ得るようにしてある。この薬剤オープナーＡにおいて、挟み板６に対して押圧板５をさらに回動させた状態を、図１、図２に示す。この状態にすると、両図からも分かるように、前記軸４を中心として回動させた押圧板５と復元後の挟み板６との間に、ＰＴＰ包装体Ｂを差込むための挿入口Ｅが形成されるので、ＰＴＰ包装体Ｃ，Ｄを差し込みやすい。
【００３５】
一方、Ｂタイプの薬剤オープナーＢにおいては、上述したように、挟み板６の上方に位置する押圧板５が、前記軸４を中心とする挟み板６の復元に追随して前記軸４’を中心として復元させ得るようにしてあるから、押圧板５を手指で摘み上げれば、図９に示すように、挟み板６との間にＰＴＰ包装体Ｃ，Ｄを差込むための挿入口Ｅが形成されるので、ＰＴＰ包装体Ｃ，Ｄを差し込みやすい。
【００３６】
さらに、ここに例示する２つのタイプの薬剤オープナーＡ，Ｂにおいては、図３、図１０に示すように、平面形状がＰＴＰ包装されたカプセル剤ｃならびに錠剤ｄと同じ形の突部２，３をそれぞれ有する基板１に連なる別の基板８を備えている。
そして、この別の基板８の上方には、図１、図９に示すように、当該基板８の基部８ａあるいは一対の取付部材１ｄ，１ｄに水平状に取り付けた軸９を中心として回動させ得る押え板１０が配置されている。
一方、この押え板１０には、図２、図１１に示すように、散剤袋Ｆを開封させ得るスライド可能なカッター１１が備えられている。
【００３７】
カッター１１を備えた２つのタイプの薬剤オープナーＡ，Ｂは、ＰＴＰ包装されたカプセル剤ｃならびに錠剤ｄを取り出す機能と、散剤袋Ｆを自動的に開封する機能とを合わせ持つことになる。
両タイプの薬剤オープナーＡ，Ｂによれば、図８、図１４に示すように、押え板１０で散剤袋Ｆを押えた状態でカッター１１をスライドさせることができるので、散剤袋Ｆが動かないのみならず、散剤袋Ｆの開封に好都合である。さらに、散剤袋Ｆの開封操作を片手で行うことができるのみならず、手指で押え板１０を押えながらカッター１１をスライドさせるだけの簡単な動きで散剤袋Ｆを開封することができる。
なお、図２、図１１のみに示すが、前記基板８の一段高くした部分の上面に滑り止め８ｃが、また、前記押え板１０の下面に滑り止め１０ａがそれぞれ貼着され、散剤袋Ｆの開封操作時に両滑り止め８ｃ，１０ａで散剤袋Ｆを挟み付けることができるようにしてあるので、散剤袋Ｆがより動かない。
【００３８】
前記押え板１０に対してカッター１１をスライドさせ得るようにするには、例えば、押え板１０に幅方向に長い孔１２を開けておき、カッター１１が取り付けられたスライダー１３の一部を、図２、図１１に示すように、前記孔１２の長手方向の少なくとも片方に形成した案内溝１２ａあるいは１２ｂに嵌入させる場合を挙げることができる。このようにすると、押え板１０を押えながら長い孔１２に沿ってスライダー１３をスライドさせることにより、カッター１１を押え板１０の幅方向にスライドさせることができる。
【００３９】
また、ここに例示する２つのタイプの薬剤オープナーＡ，Ｂにおいては、図１〜図３、図９〜図１１に示すように、前記基板８と前記押え板１０との間にばね１４が配置されており、押えた後の押え板１０を前記ばね１４の弾撥力により復元させ得るようにしてある。したがって、ばね１４の弾撥力により押えた後の押え板１０を直ちに復元させることができ、次の散剤袋Ｆの開封操作を速やかに行うことができる。
【００４０】
図１〜図８に示すＡタイプの薬剤オープナーＡの場合には、押えた後の押え板１０を直ちに復元させるためのばね１４が２本配置されており、両ばね１４，１４と前記２本のばね７，７とを一体的とし、ばね１４もばね７の場合と同じように、基板１の基部１ａの切欠孔（図示省略）から奥に潜り込ませ、その内部においてねじ（図示しない）で固定してある。したがって、押圧板５と挟み板６の動きに応じてばね１４が動いても、妄りに抜け落ちることはない。なお、ばね７を固定するねじとばね１４を固定するねじとは、別個のものとしてもよいし、１つのねじで一体的なばね７とばね１４とを固定してもよい。
これに対して、図９〜図１４に示すＢタイプの薬剤オープナーＢの場合には、ばね１４は１本であって、また、このばね１４は図１０に示すように前記ばね７と一体的になっており、しかも、ばね７の場合と同様に基板１の基部１ｃの取付座１ｃにねじで固定してある。したがって、押圧板５と挟み板６の動きに応じてばね１４が動いても、妄りに抜け落ちることはない。
【００４１】
ここに例示するＡタイプの薬剤オープナーＡにおいては、押え板１０にスライド可能に取り付けてあるスライダー１３に、カッター１１の基部を埋め込んで接着剤などで固定してある。
一方、Ｂタイプの薬剤オープナーＢにおいては、図１１に示すように、押え板１０にスライド可能に取り付けてあるスライダー１３に、カッター１１をねじ１５で着脱自在としてある。カッター１１がこのようになっていると、カッター１１の交換が便利であるから、カッター１１が切れにくくなった場合や折損した場合に好都合である。
なお、図１〜図１４における図面符号８ｂは、基板８の一段高くした部分において幅方向に形成された溝で、カッター１１の刃先がこの溝８ｂに差込まれた状態でカッター１１をスライドさせることができる。
【００４２】
図１、図２、図４〜図８、図９〜図１４に示すように、前記基板１，８の裏面には、滑り止め１６，１６が貼着されている。基板１，８の裏面に滑り止め１６，１６が貼着されていると、２つのタイプの薬剤オープナーＡ，Ｂの使用中においても両タイプの薬剤オープナーＡ，Ｂが滑りにくいので、ＰＴＰ包装されたカプセル剤ｃならびに錠剤ｄの取出作業や散剤袋Ｆの開封作業をスムーズに行うことができる。特に、これらの作業を片手で行う場合に好都合である。
【符号の説明】
【００４３】
１…基板、２，３…突部、４，４’…軸、５…押圧板、６…挟み板、５ａ，５ｂ、６ａ，６ｂ…型孔、７…ばね、８…基板、１０…押え板  、１１…カッター、１４…ばね、Ａ，Ｂ…薬剤オープナー、Ｃ，Ｄ…ＰＴＰ包装体、ｃ…カプセル剤、ｄ…錠剤、ｃ’，ｄ’…銀紙、Ｅ…挿入口、Ｆ…散剤袋。
【図１】
0003159216.tif 000003
【図２】
0003159216.tif 000004
【図３】
0003159216.tif 000005
【図４】
0003159216.tif 000006
【図５】
0003159216.tif 000007
【図６】
0003159216.tif 000008
【図７】
0003159216.tif 000009
【図８】
0003159216.tif 000010
【図９】
0003159216.tif 000011
【図１０】
0003159216.tif 000012
【図１１】
0003159216.tif 000013
【図１２】
0003159216.tif 000014
【図１３】
0003159216.tif 000015
【図１４】
0003159216.tif 000016